(57)【要約】      （修正有）【課題】ネガ型のＴＮ液晶でフィールドシーケンシャル方式を採用する液晶表示装置において、特に、液晶表示装置の下方向および左右両方向の視角からの最適なコントラストの表示を可能とし、良好な視認性を得ることができる液晶表示装置を提供する。【解決手段】一対の透明基板間にＴＮ液晶が封入された液晶表示パネルを挟持するように偏光軸をほぼ平行に配置された２枚の偏光板とからなる第１液晶表示素子と、前記第１液晶表示素子の反視認側に配設され、前記第１液晶表示素子と同一に駆動される第２液晶表示素子を備え、前記第１および第２液晶表示パネルはそれぞれ、前記液晶がノーマリブラックモードの表示を行うためのネガ型液晶であり、前記ＴＮ液晶の層厚ｄＬＣを１．５〜３．０μｍとし、前記第１液晶表示パネルの視認側に配置される配向膜の配向軸と前記第２液晶表示パネルの視認側に配置される配向膜の配向軸との関係角を６０〜１２０°とする。【選択図】      図１
2004294824.tif 000002
【特許請求の範囲】
【請求項１】
液晶表示素子の反視認側に複数の単位色を選択的に切り換えて発光するバックライトユニットを備え、前記液晶表示素子の画素毎の透光を前記バックライトユニットからの各単位色の発光に同期させて選択的に制御し、各単位色のそれぞれの表示パターンを高速で連続的に時分割方式で重ねて表示して所望の表示を行なう液晶表示装置であって、
配向膜が形成された面を対向させて間隔を隔ててほぼ平行に配置された一対の透明基板間にＴＮ液晶が封入された第１液晶表示パネルおよび前記第１液晶表示パネルを挟持するように偏光軸をほぼ平行に配置された２枚の偏光板からなる第１液晶表示素子と、
配向膜が形成された面を対向させて間隔を隔ててほぼ平行に配置された一対の透明基板間にＴＮ液晶が封入された第２液晶表示パネルおよび前記第２液晶表示パネルを挟持するように偏光軸をほぼ平行に配置された２枚の偏光板とからなり、前記第１液晶表示素子の反視認側に配設され、前記第１液晶表示素子と同一に駆動される第２液晶表示素子と
を備え、
前記第１液晶表示パネルおよび第２液晶表示パネルはそれぞれ、前記液晶がノーマリブラックモードの表示を行うためのネガ型液晶であり、前記液晶の層厚ｄＬＣが１．５〜３．０μｍとされ、前記第１液晶表示パネルの視認側に配置される配向膜の配向軸と前記第２液晶表示パネルの視認側に配置される配向膜の配向軸との関係角が６０〜１２０°とされていることを特徴とする液晶表示装置。
【請求項２】
前記液晶は位相差値ΔｎＬＣ・ｄＬＣが４００〜６５０ｎｍとされている請求項１に記載の液晶表示装置。
【請求項３】
前記液晶には最大吸収波長５３０〜７００ｎｍの紫色系から青色系の２色性染料が０．５〜４．０％添加されていることを特徴とする請求項１または請求項２に記載の液晶表示装置。
【請求項４】
前記バックライトユニットは、赤、青、緑の発光ダイオードを有する請求項１乃至３の何れか１項に記載の液晶表示装置。
【発明の詳細な説明】
【０００１】
【発明の属する技術分野】
本発明は、液晶を利用したディスプレイに使用される液晶表示装置に係り、特に、ネガ型（ノーマリブラックモード）のＴＮ（Ｔｗｉｓｔｅｄ  Ｎｅｍａｔｉｃ）液晶を用いたフィールドシーケンシャル方式の液晶表示装置において広視野角を確保するとともに、良好なコントラストを示すことのできる液晶表示装置に関する。
【０００２】
【従来の技術】
近年、高精細なカラー表示が可能な液晶表示装置として、例えば、特許文献１に示すようなフィールドシーケンシャル方式を用いたカラー液晶表示装置（以下、ＦＳ液晶表示装置と記す。）が多く利用されている。
【０００３】
このＦＳ液晶表示装置は、間隔を隔ててほぼ平行に配置された一対の透明基板、各透明基板の対向面にそれぞれ形成された一対の透明電極、各透明電極上にそれぞれ形成された一対の配向膜、各透明基板間を所定の間隔で維持しつつその周縁を接合し封止するシール材およびその封入空間内に封入された液晶から構成された液晶表示パネルと、前記液晶表示パネルを挟持する一対の偏光板と、複数の単位色、例えば赤、緑、青の光源色の３色を選択的に発光するバックライトユニットとを備えている。
【０００４】
このフィールドシーケンシャル方式を用いたカラー表示の原理は、前記液晶表示パネルをその背面側から照射する前記バックライトユニットの各色の発光に同期させて特定フィールドを選択的に透光可能に開口させる光シャッタとして用いるとともに、前記バックライトユニットの３色の発光を高速度で切換えることにより、３色のそれぞれの表示パターンを高速で連続的に時分割方式で重ねて表示して所望のカラー表示を行なうというものである。前記液晶表示パネルの光シャッタとしての作用をより詳しく説明すれば、カラー表示を行う特定フィールドの各１画素を構成する前記一対の透明基板に形成された透明電極に対し、選択的に電圧を印加することにより、当該特定フィールドの液晶の分子配列を変化させ、当該特定フィールドでのみ光の透過率を変化させるように作用することとなる。
【０００５】
例えば、ある特定フィールドの１画素を赤で表示したいとき、赤のバックライトユニットの点灯・発光時には光を透過させ、他の緑および青のバックライトユニットの点灯・発光時には光を遮光させるようにする。
【０００６】
ところで、一般的に、液晶表示装置には、高速応答性、高コントラスト、高精細表示、広視野角といった特性が求められる。前述のようにしてカラー表示を行うＦＳ液晶表示装置においては、バックライトユニットの赤、緑、青の各色の切換周波数は、通常時が６０Ｈｚである場合には、その３倍の１８０Ｈｚで切換えなければならず、特に、高速応答化が要求されている。
【０００７】
また、ＦＳ液晶表示装置は、赤、緑、青の３色のカラーフィルターを用いてカラー表示する液晶表示装置と同じ面積で３倍の画素を表現できるため、高精細な表示が可能となる。そのため、駅や空港等の各種案内表示板やメッセージボードといった比較的大型の表示装置として用いられることも多く、その場合には、観者が見上げる位置に配置されることや、観者が表示装置の画面を必ずしも正面から視認できるとは限らないこと等を勘案し、特に、液晶表示装置の画面に対する下方からの視角や左右両方向からの視角に対しても良好な視認性（高コントラスト）を示す広視野角化が要求されている。
【０００８】
【特許文献１】
特開２００２−３０３８４６号公報
【０００９】
【発明が解決しようとする課題】
そこで、本発明はこのような点に鑑み、ネガ型のＴＮ液晶でフィールドシーケンシャル方式を採用する液晶表示装置において、特に、液晶表示装置の下方向および左右両方向の視角からの最適なコントラストの表示を可能とし、良好な視認性を得ることができる液晶表示装置を提供することを目的とする。
【００１０】
【課題を解決するための手段】
前述した目的を達成するため、本発明の請求項１に係る液晶表示装置の特徴は、液晶表示素子の反視認側に複数の単位色を選択的に切り換えて発光するバックライトユニットを備え、前記液晶表示素子の画素毎の透光を前記バックライトユニットからの各単位色の発光に同期させて選択的に制御し、各単位色のそれぞれの表示パターンを高速で連続的に時分割方式で重ねて表示して所望の表示を行なう液晶表示装置であって、配向膜が形成された面を対向させて間隔を隔ててほぼ平行に配置された一対の透明基板間にＴＮ液晶が封入された第１液晶表示パネルおよび前記第１液晶表示パネルを挟持するように偏光軸をほぼ平行に配置された２枚の偏光板からなる第１液晶表示素子と、配向膜が形成された面を対向させて間隔を隔ててほぼ平行に配置された一対の透明基板間にＴＮ液晶が封入された第２液晶表示パネルおよび前記第２液晶表示パネルを挟持するように偏光軸をほぼ平行に配置された２枚の偏光板とからなり、前記第１液晶表示素子の反視認側に配設され、前記第１液晶表示素子と同一に駆動される第２液晶表示素子とを備え、前記第１液晶表示パネルおよび第２液晶表示パネルはそれぞれ、前記液晶がノーマリブラックモードの表示を行うためのネガ型液晶であり、前記液晶の層厚ｄＬＣが１．５〜３．０μｍとされ、前記第１液晶表示パネルの視認側に配置される配向膜の配向軸と前記第２液晶表示パネルの視認側に配置される配向膜の配向軸との関係角が６０〜１２０°とされている点にあり、請求項２に係る液晶表示装置の特徴は、前記液晶は位相差値ΔｎＬＣ・ｄＬＣが４００〜６５０ｎｍとされている点にある。
【００１１】
このような構成を採用することにより、液晶表示装置の下方向および左右両方向からの視角に対して最良のコントラストを得て、極めて良好な視認性を得ることができ、広視野角化を実現することができる。
【００１２】
また、請求項３に係る液晶表示装置の特徴は、請求項１または請求項２に記載の液晶表示装置において、前記液晶には最大吸収波長５３０〜７００ｎｍの紫色系から青色系の２色性染料が０．５〜４．０％添加されている点にある。
【００１３】
このような構成を採用することにより、良好な色表示を得ることができる。
【００１４】
さらに、請求項３に係る液晶表示装置の特徴は、請求項１または２に記載の液晶表示装置において、前記バックライトユニットは、赤、青、緑の発光ダイオードを有する点にある。
【００１５】
このような構成を採用することにより、カラー表示時における輝度を十分に確保することができる。
【００１６】
【発明の実施の形態】
本実施形態の液晶表示装置は、図１に示すように、厚み方向に積層された２枚の液晶表示素子１、２を有したＦＳ液晶表示装置である。
【００１７】
本実施形態のＦＳ液晶表示装置の前記各液晶表示素子１、２はそれぞれ、９０°のツイスト角を有するＴＮ液晶が封入された液晶表示パネル３、４と、２枚ずつの偏光板５、６、７、８とから構成されている。
【００１８】
より詳しく説明すると、前記各液晶表示パネル３、４は、間隔を隔ててほぼ並行に配置された２枚のガラスのような材質からなる透明基板１００、１０１、１０２、１０３を有している。各透明基板１００、１０１、１０２、１０３上には、それぞれ透明電極１０４、１０５、１０６、１０７と、前記透明電極１０４、１０５、１０６、１０７に印加される電圧に応じて液晶分子の配向を制御する配向膜（垂直配向膜）１０８、１０９、１１０、１１１とが積層形成されており、各液晶表示パネル３、４を構成するそれぞれ２枚の透明基板１００、１０１、１０２、１０３はそれぞれの前記配向膜１０８、１０９、１１０、１１１の形成面を対向させた状態でその周縁をシール材１１２、１１３により接合され密閉されている。この透明基板１００、１０１、１０２、１０３とシール材１１２、１１３により囲繞された密閉空間には、ツイスト角を９０°とし、位相差値ΔｎＬＣ・ｄＬＣが４００〜６５０ｎｍ、好ましくは４５０〜６５０ｎｍに設定された、ノーマリーブラックモードの表示を行うためのネガ型のＴＮ液晶１１４、１１５が封入され、液晶層とされている。
【００１９】
前記各液晶表示パネル３、４は、前記液晶層厚ｄＬＣが１．５〜３．０μｍ、好ましくは１．５〜２．５μｍに設定されている。液晶層厚ｄＬＣが１．５μｍよりも小さくなると液晶表示パネルの製造が困難になり、３．０μｍを超えると応答速度が遅くなるためである。
【００２０】
そして、前記ネガ型のＴＮ液晶には、少なくとも１種類の最大吸収波長が５３０ｎｍ〜７００ｎｍの紫色から青色系の２色性染料が０．５〜４．０％添加されている。これはノーマリーブラックモードにおいては、背景色が液晶の位相差値ΔｎＬＣ・ｄＬＣによって異なり、例えば、位相差値ΔｎＬＣ・ｄＬＣが４１０ｎｍで赤紫色、５８０ｎｍで青緑色、６５０ｎｍで緑色となるため、この背景色を補償し、良好なコントラスト比を得るとともに色補償を行うべく、位相差値ΔｎＬＣ・ｄＬＣが４００ｎｍに近い場合には、青色系２色性染料をその補償程度にあわせて適当量添加し、逆に、位相差値ΔｎＬＣ・ｄＬＣが６５０ｎｍに近い場合には、紫色系２色性染料を所定量添加して、良好なカラー表示を行うためである。なお、前記２色性染料は、各液晶表示パネル３、４の液晶に同様に添加するものとする。
【００２１】
また、視認側に配設された液晶表示素子（以下、第１液晶表示素子と称する。）１を構成する液晶表示パネル（以下、第１液晶表示パネルと称する。）３の視認側に配置される配向膜１０８の配向軸と、反視認側に配設された液晶表示素子（以下、第２液晶表示素子と称する。）２を構成する液晶表示パネル（以下、第２液晶表示パネルと称する。）４の視認側に配置される配向膜１１０の配向軸とがなす関係角は６０〜１２０°、好ましくは、７０〜１１０°に設定されている。この関係角が６０°よりも小さくなったり、あるいは１２０°を超える場合は透過率が低くなり、広角視野角化の効果が小さくなるためである。
【００２２】
また、前記各液晶表示パネル３、４の内部には、各液晶表示素子１、２の画素間を遮光する遮光膜１１６、１１７が配設されている。このように遮光膜１１６、１１７を画素間に形成することにより、カラー表示時における光漏れを防止することができ、コントラストを向上させることが可能となる。
【００２３】
また、前記偏光板５、６、７、８は、前記各液晶表示素子１、２においてそれぞれ前記各液晶表示パネル３、４を挟持するようにして、液晶表示パネル３の視認側に配設される偏光板５の偏光軸は、それぞれの液晶表示パネル３の視認側に配設された透明基板１００の配向膜１０８の配向軸と同一方向に配置し、液晶表示パネル３の反視認側に配設される偏光板６の偏光軸は、液晶表示パネル３の反視認側に配設された透明基板１０１の配向膜１０９の配向軸と直交するように配置されている。
【００２４】
また、液晶表示パネル４の視認側に配設される偏光板７の偏光軸は、それぞれの液晶表示パネル４の視認側に配設された透明基板１０２の配向膜１１０の配向軸と直交方向に配置し、液晶表示パネル４の反視認側に配設される偏光板８の偏光軸は、液晶表示パネル４の反視認側に配設された透明基板１０３の配向膜１１１の配向軸と同一方向に配置されている。
【００２５】
さらに、本実施形態の液晶表示装置は、前記第２液晶表示素子２の反視認側に、光源としての赤、青、緑の発光ダイオードを有し、前記発光ダイオードの各単位色を選択的に切り換えて発光するバックライトユニット（図示せず）が配設されている。このように、バックライトユニットに発光ダイオードを用いることにより、普通の蛍光表示管（ＶＦＤ）等を用いる場合よりも輝度を確保することができ、良好なカラー表示を行うことができる。
【００２６】
そして、前記第１液晶表示素子１および第２液晶表示素子２の画素毎の透光を前記バックライトユニットからの各色の発光に同期させて選択的、且つ、同一に駆動制御し、各単位色のそれぞれの表示パターンを高速で連続的に時分割方式で重ねて表示して所望のカラー表示を行なうように構成されている。
【００２７】
本実施形態の液晶表示装置のように、ネガ型のＴＮ液晶を封入した前記第１液晶表示素子１と第２液晶表示素子２とを、第１液晶表示パネル３の視認側に配置される配向膜１０８の配向軸と、第２液晶表示パネル４の視認側に配置される配向膜の配向軸１１０との関係角が６０〜１２０°、好ましくは７０〜１１０°となるように配置した構成とすることで、ノーマリーブラックモードの表示を行う液晶表示装置の下方向および左右両方向からの視角に対して最良のコントラストを得て、極めて良好な視認性を得ることができ、広視野角化を実現するものとなる。以下に、前述した本実施形態の液晶表示装置の具体的な実施例を示し、従来の仕様の液晶表示装置と比較して説明する。
【００２８】
［実施例１］
本実施例の液晶表示装置は、厚み方向に積層された２枚の液晶表示素子１、２を有した液晶表示装置である。前記液晶表示装置においては、前記液晶１１４、１１５は９０°の左ツイストで、液晶層厚ｄＬＣ＝２．５μｍ、位相差値ΔｎＬＣ・ｄＬＣ＝５８０ｎｍとなるように設定されており、図２（７）に示すように、第１液晶表示パネル３の視認側に配置される透明基板１００の配向膜１０８の配向軸と、第２液晶表示パネル４の視認側に配置される透明基板１０２の配向膜１１０の配向軸との関係角を９０°に設定されている。
【００２９】
また、前記第１液晶表示パネル３の視認側に配置された偏光板（第１偏光板）５と反視認側に配置された偏光板（第２偏光板）６、および第２液晶表示パネル４の視認側に配置された偏光板（第３偏光板）７と反視認側に配置された偏光板（第４偏光板）８は、それぞれ偏光軸を同一方向に配置されている。
【００３０】
さらに、液晶表示パネル３の視認側に配設される偏光板５の偏光軸は、それぞれの液晶表示パネル３の視認側に配設された透明基板１００の配向膜１０８の配向軸と同一方向に配置し、液晶表示パネル３の反視認側に配設される偏光板６の偏光軸は、液晶表示パネル３の反視認側に配設された透明基板１０１の配向膜１０９の配向軸と直交するように配置されている。
【００３１】
また、液晶表示パネル４の視認側に配設される偏光板７の偏光軸は、それぞれの液晶表示パネル４の視認側に配設された透明基板１０２の配向膜１１０の配向軸と直交方向に配置し、液晶表示パネル４の反視認側に配設される偏光板８の偏光軸は、液晶表示パネル４の反視認側に配設された透明基板１０３の配向膜１１１の配向軸と同一方向に配置されている。
【００３２】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００３３】
この液晶表示装置を試料とし、１８０Ｈｚでスタティック駆動させた場合における、コントラストの視野角依存性を図３に示す。
【００３４】
図３中、同心円とされ、１０°間隔で０〜５０°まで示された円状のラインは、液晶表示装置の表示面の法線からの傾き角（θ）を示しており、同図の中心点から放射状に延在し、同図を１２分割するラインは、液晶表示装置の表示面の３時方向を０°と仮定した場合における反時計方向の角度（φ）を示している（以下の実施例および比較例における図４、５、７、９において同じ）。
【００３５】
この結果、本実施例の液晶表示装置は、観者の視線を略全領域で、θ＝０〜５０°とするまでにおいて大方のところで２００以上、θ＝０〜４０°とするまでにおいて大方のところで５００以上コントラスト比を得ることができ、さらに、観者の視線をφ＝２００〜３５０°（図３における下方向）の領域でθ＝０〜３５°とするまで、および、φ＝０〜１８０°（図３における上方向）の領域でθ＝０〜２０°とするまでにおいて、大方のところでは１０００以上のコントラスト比を得て、広視野角化を実現するものとなった。
【００３６】
また、本実施例の液晶表示装置の応答速度は２．５ｍｓであった。
【００３７】
なお、ここでいう応答速度とは、前記透明電極に対してオン・オフの電圧を印加したときに、透過光が所定値に達するまでの時間である（以下の実施例および比較例において同じ）。
【００３８】
［実施例２］
本実施例の液晶表示装置は、厚み方向に積層された２枚の液晶表示素子１、２を有した液晶表示装置である。前記実施例の液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、第１液晶表示パネル３の視認側に配置される透明基板１００の配向膜１０８の配向軸と、第２液晶表示パネル４の視認側に配置される透明基板１０２の配向膜１１０の配向軸との関係角を９０°に設定されている。その他、各配向膜１０８、１０９、１１０、１１１の配向軸の軸方向、各偏光板５、６、７、８の偏光軸の軸方向は、前述の実施例１と同様とし、その説明を省略する。
【００３９】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００４０】
この液晶表示装置を試料とし、１８０Ｈｚでスタティック駆動させた場合における、コントラストの視野角依存性を図４に示す。
【００４１】
この結果、本実施例の液晶表示装置は、観者の視線を略全領域でθ＝０〜４５°とするまでにおいて、大方のところで２００以上のコントラスト比を得ることができ、さらに、観者の視線をφ＝２１０〜２５０°、θ＝２５〜４０°とする領域近傍、φ＝３００〜３３０°、θ＝２５〜４０°とする領域近傍、および、φ＝３０〜１５０°（図４における上中央領域）、θ＝１５〜４０°とする領域近傍においては５００以上のコントラスト比を得て、広視野角化を実現するものとなった。
【００４２】
また、本実施例の液晶表示装置の応答速度は２ｍｓであった。
【００４３】
［実施例３］
本実施例の液晶表示装置は、厚み方向に積層された２枚の液晶表示素子１、２を有した液晶表示装置である。前記実施例の液晶表示装置においては、前記液晶１１４、１１５は９０°の左ツイストで、液晶層厚ｄＬＣ＝２．５μｍに設定されており、第１液晶表示パネル３の視認側に配置される透明基板１００の配向膜１０８の配向軸と、第２液晶表示パネル４の視認側に配置される透明基板１０２の配向膜１１０の配向軸との関係角を９０°に設定されている。また、前記液晶には、最大吸収波長６４０ｎｍの青色系２色性染料（三菱化学社製商品：ＬＳＢ−２７８）が０．８％、最大吸収波長５５０ｎｍの紫色系２色性染料（林原生物化学研究所感光色素研究所製商品：Ｇ−２４１）が０．８％添加されており、位相差値ΔｎＬＣ・ｄＬＣ＝５８０ｎｍとなるように調整されている。その他、各配向膜１０８、１０９、１１０、１１１の配向軸の軸方向、各偏光板５、６、７、８の偏光軸の軸方向は、前述の実施例１と同様とし、その説明を省略する。
【００４４】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００４５】
この液晶表示装置を試料とし、１８０Ｈｚでスタティック駆動させた場合における、コントラストの視野角依存性を図５に示す。
【００４６】
この結果、本実施例の液晶表示装置は、観者の視線をφ＝５０〜１３０°およびφ＝２３０〜３２０°の図５における上下方向の領域においては、θ＝０〜５０°とするまでにおいて２００以上のコントラスト比を得ることができ、また、φ＝３２０〜４１０（５０）°およびφ＝１３０〜２３０°の図５における左右方向の領域においては、θ＝０〜４０°とするまでにおいて２００以上のコントラスト比を得ることができる。
【００４７】
また、観者の視線をφ＝７０〜１００°およびφ＝２４０〜３００°の図５における上下方向の領域においては、θ＝０〜５０°とするまでにおいて５００以上のコントラスト比を得ることができ、また、φ＝３１０〜４３０（７０）°およびφ＝１１０〜２４０°の図５における左右方向の領域においては、θ＝０°〜３０°とするまでにおいて、ほぼ確実に５００以上のコントラスト比を得ることができ、さらに、φ＝２４０〜３００°の領域でθ＝０〜５０°とするまでにおいては、大方のところで１０００以上のコントラスト比を得ることができ、広視野角化を実現するものとなった。また、本実施例の液晶表示装置においては、液晶に２色性染料を添加することで、コントラスト比のみならず、色補償度も向上され、特に良好なカラー表示の視認性を得ることができた。
【００４８】
なお、本実施例の液晶表示装置の応答速度は２．８ｍｓであった。
【００４９】
［実施例４］
本実施例の液晶表示装置は、厚み方向に積層された２枚の液晶表示素子１、２を有した液晶表示装置である。前記液晶表示装置においては、前記液晶１１４、１１５は９０°の左ツイストで、液晶層厚ｄＬＣ＝２．５μｍに設定されており、図６（７）に示すように、第１液晶表示パネル３の視認側に配置される透明基板１００の配向膜１０８の配向軸と、第２液晶表示パネル４の視認側に配置される透明基板１０２の配向膜１１０の配向軸との関係角を１２０°に設定されている。
【００５０】
また、前記液晶には、最大吸収波長６４０ｎｍの青色系２色性染料（三菱化学社製商品：ＬＳＢ−２７８）が０．８％、最大吸収波長５５０ｎｍの紫色系２色性染料（林原生物化学研究所感光色素研究所製商品：Ｇ−２４１）が０．８％添加されており、位相差値ΔｎＬＣ・ｄＬＣ＝５８０ｎｍとなるように調整されている。
【００５１】
また、前記第１液晶表示パネル３の視認側に配置された偏光板（第１偏光板）５と反視認側に配置された偏光板（第２偏光板）６、および第２液晶表示パネル４の視認側に配置された偏光板（第３偏光板）７と反視認側に配置された偏光板（第４偏光板）８は、それぞれ偏光軸を同一方向に配置されている。
【００５２】
さらに、液晶表示パネル３の視認側に配設される偏光板５の偏光軸は、それぞれの液晶表示パネル３の視認側に配設された透明基板１００の配向膜１０８の配向軸と同一方向に配置し、液晶表示パネル３の反視認側に配設される偏光板６の偏光軸は、液晶表示パネル３の反視認側に配設された透明基板１０１の配向膜１０９の配向軸と直交するように配置されている。
【００５３】
また、液晶表示パネル４の視認側に配設される偏光板７の偏光軸は、それぞれの液晶表示パネル４の視認側に配設された透明基板１０２の配向膜１１０の配向軸と直交方向に配置し、液晶表示パネル４の反視認側に配設される偏光板８の偏光軸は、液晶表示パネル４の反視認側に配設された透明基板１０３の配向膜１１１の配向軸と同一方向に配置されている。
【００５４】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００５５】
この液晶表示装置を試料とし、１８０Ｈｚでスタティック駆動させた場合における、コントラストの視野角依存性を図７に示す。
【００５６】
この結果、本実施例の液晶表示装置は、観者の視線をφ＝４５〜１３５°およびφ＝２２０〜３２５°の図７における上下方向の領域においては、θ＝０〜５０°とするまでにおいて確実に２００以上のコントラスト比を得ることができ、また、φ＝３２５〜４０５（４５）°およびφ＝１３５〜２２０°の図７における左右方向の領域においては、θ＝０〜４５°とするまでにおいて２００以上のコントラスト比を得ることができた。
【００５７】
また、観者の視線をφ＝２３０〜３１５°（図７における下方向）の領域でθ＝０〜５０°とするまでの領域においては、殆どのところで５００以上のコントラスト比を得ることができ、その他の領域においても、θ＝０〜３０°とするまでにおいては確実に５００以上のコントラスト比を得ることができた。さらに、観者の視線をφ＝２４０とする領域近傍とφ＝３００とする領域近傍においては、θ＝０〜４５°とするまでにおいて１０００以上のコントラスト比を得ることができ、広視野角化を実現するものとなった。また、本実施例の液晶表示装置においては、液晶に２色性染料を添加することで、コントラスト比のみならず、色補償度も向上され、特に良好なカラー表示の視認性を得ることができた。
【００５８】
なお、本実施例の液晶表示装置の応答速度は２．８ｍｓであった。
【００５９】
［比較例１］
本比較例の液晶表示装置は、１枚の液晶表示パネル２００と、この液晶表示パネル２００を挟持する一対の偏光板２０１、２０２を有したポジ型液晶表示装置である。前記液晶表示パネル２００自体の構成は、前記実施例における各液晶表示パネル３、４と基本的に同様に構成されており、当該比較例の液晶表示装置においても、前記液晶（図示せず）は９０°の左ツイストで、液晶層厚ｄＬＣ＝２μｍ、位相差値ΔｎＬＣ・ｄＬＣ＝４１０ｎｍとなるように設定されており、図８に示すように、前記一対の偏光板２０１、２０２の偏光軸は直交方向に配置されている。
【００６０】
さらに、液晶表示パネルの視認側に配設される偏光板２０１の偏光軸は、液晶表示パネル２００の視認側に配設された透明基板の配向膜（図示せず）の配向軸と直交方向に配置され、かつ、反視認側に配設される偏光板２０２の偏光軸は、液晶表示パネルの反視認側に配設された透明基板の配向膜（図示せず）の配向軸と直交するように配設されている。
【００６１】
なお、前記一対の偏光板２０１、２０２としては、いずれもニュートラルな偏光板（ポラテクノ社製商品：ＳＫＮ−１８２４３Ｔ）を使用した。
【００６２】
この液晶表示装置を試料とし、１８０Ｈｚでスタティック駆動させた場合における、コントラストの視野角依存性を図９に示す。
【００６３】
この結果、本比較例の液晶表示装置においては、２００以上のコントラスト比を得ることのできる視角領域が、φ＝３０°近傍領域におけるθ＝０〜３０°の範囲、φ＝１６０°付近におけるθ＝０〜４０°の範囲およびφ＝１８０〜３６０°におけるφ＝０〜１５乃至２０°の範囲にほぼ限られており、非常に狭い視野角であった。
【００６４】
［比較例２］
本比較例の液晶表示装置は、１枚の液晶表示パネル２００と、この液晶表示パネル２００を挟持する一対の偏光板２０１、２０２を有した液晶表示装置である。前記液晶表示パネル２００自体の構成は、前記実施例における各液晶表示パネル３、４と基本的に同様に構成されており、当該比較例の液晶表示装置においても、前記液晶（図示せず）は９０°の左ツイストで、液晶層厚ｄＬＣ＝２．５μｍ、位相差値ΔｎＬＣ・ｄＬＣ＝５８０ｎｍとなるように設定されており、図１０に示すように、前記一対の偏光板２０１、２０２の偏光軸は同一方向に配置されている。
【００６５】
さらに、液晶表示パネルの視認側に配設される偏光板２０１の偏光軸は、液晶表示パネル２００の視認側に配設された透明基板の配向膜（図示せず）の配向軸と同一方向とし、かつ、反視認側に配設される偏光板２０２の偏光軸は、液晶表示パネルの反視認側に配設された透明基板の配向膜（図示せず）の配向軸と直交するように配設されている。
【００６６】
この結果、本比較例の液晶表示装置においては、２００以上のコントラスト比を得ることのできる視角領域はなかった。
【００６７】
これらの実験から、ネガ型のＴＮ液晶１１４、１１５を封入した前記第１液晶表示素子１と第２液晶表示素子２とを、前記第１液晶表示パネルの視認側に配置される配向膜の配向軸と前記第２液晶表示パネルの視認側に配置される配向膜の配向軸との関係角が６０〜１２０°、好ましくは７０〜１１０°となるように配置した構成とすることで、特に、下方向の視角からのコントラストを良好なものとすることができることがわかった。
【００６８】
そして、このようにして広視野角化が実現された液晶表示装置であれば、駅や空港等の各種案内表示板やメッセージボードといった比較的大型の表示装置として、観者が見上げる位置に配置されような場合であっても、良好なカラー表示の視認性（高コントラスト）を示すことができる。
【００６９】
なお、本発明は、前述した実施形態および実施例に限定されるものではなく、必要に応じて種々の変更が可能である。
【００７０】
【発明の効果】
以上説明したように、本発明によれば、フィールドシーケンシャル方式の液晶表示装置において、下方向からであっても、その視角からの最適なコントラストの表示を可能とし、高精細で、良好な視認性を得ることができるという効果を奏する。
【図面の簡単な説明】
【図１】本実施形態の液晶表示装置の積層構造を示す縦断面図
【図２】実施例１の液晶表示装置を構成する各偏光板の偏光軸と各液晶表示パネルの視認側および反視認側の配向膜の配光軸の軸配置図
【図３】実施例１の液晶表示装置のコントラストの視野角依存性を示す図
【図４】実施例２の液晶表示装置のコントラストの視野角依存性を示す図
【図５】実施例３の液晶表示装置のコントラストの視野角依存性を示す図
【図６】実施例４の液晶表示装置を構成する各偏光板の偏光軸と各液晶表示パネルの視認側および反視認側の配向膜の配光軸の軸配置図
【図７】実施例４の液晶表示装置のコントラストの視野角依存性を示す図
【図８】比較例１の液晶表示装置を構成する偏光板の偏光軸と液晶表示パネルの視認側および反視認側の配向膜の配向軸の軸配置図
【図９】比較例１の液晶表示装置のコントラストの視野角依存性を示す図
【図１０】比較例２の液晶表示装置を構成する偏光板の偏光軸と液晶表示パネルの視認側および反視認側の配向膜の配向軸の軸配置図
【符号の説明】
１  第１液晶表示素子
２  第２液晶表示素子
３  第１液晶表示パネル
４  第２液晶表示パネル
５  第１偏光板
６  第２偏光板
７  第３偏光板
８  第４偏光板
１００  第１液晶表示パネルの視認側透明基板
１０１  第１液晶表示パネルの反視認側透明基板
１０２  第２液晶表示パネルの視認側透明基板
１０３  第２液晶表示パネルの反視認側透明基板
１０８  第１液晶表示パネルの視認側透明基板の配向膜
１１０  第２液晶表示パネルの視認側透明基板の配向膜
【図１】
2004294824.tif 000003
【図２】
2004294824.tif 000004
【図３】
2004294824.tif 000005
【図４】
2004294824.tif 000006
【図５】
2004294824.tif 000007
【図６】
2004294824.tif 000008
【図７】
2004294824.tif 000009
【図８】
2004294824.tif 000010
【図９】
2004294824.tif 000011
【図１０】
2004294824.tif 000012